(57)【要約】【課題】熱の影響によるイメージセンサの位置ズレを簡易且つ安価な構成で防止し、また、イメージセンサの放熱効率を高めることにより、画像読取装置の読取画質を良好に維持できる画像読取装置を提供する。【解決手段】本画像読取装置１００は、裏面側に読取基板５１１が固定されたＣＣＤイメージセンサ５１０と、原稿からの反射光を通過させるための開口部５２０とＣＣＤイメージセンサ５１０を嵌合させるための支持部５２１とを有するセンサフレーム５２とを具備してなり、センサフレーム５２の支持部５２１にＣＣＤイメージセンサ５１０の読取面側が嵌合されて、ＣＣＤイメージセンサ５１０が反射光の光軸上に支持されたものである。【選択図】      図５
2004187039.tif 000002
【特許請求の範囲】
【請求項１】
原稿からの反射光をイメージセンサに結像して画像読取りを行う画像読取装置において、
裏面側に読取基板が固定されたイメージセンサと、前記反射光を通過させるための開口部とイメージセンサを嵌合させるための支持部とを有する耐熱性フレームとを具備してなり、該耐熱性フレームの支持部に前記イメージセンサの読取面側が嵌合されて、イメージセンサが光軸上に支持されたものであることを特徴とする画像読取装置。
【請求項２】
前記耐熱性フレームの支持部は、イメージセンサの幅方向、厚み方向、及び高さ方向の位置を夫々規制する少なくとも３方向の位置決め部と、各位置決め部にイメージセンサを夫々押圧して固定する付勢部材とを具備するものであることを特徴とする請求項１に記載の画像読取装置。
【請求項３】
前記耐熱性フレーム及び付勢部材は、高熱伝導性のものであることを特徴とする請求項２に記載の画像読取装置。
【請求項４】
前記耐熱性フレームは、スキャナフレームに設けられた位置調整部材に固定されたことを特徴とする請求項１乃至３のいずれかに記載の画像読取装置。
【発明の詳細な説明】
【０００１】
【発明の属する技術分野】
本発明は、原稿からの反射光をイメージセンサに結像して画像読取りを行う画像読取装置に関し、特に、イメージセンサを位置ズレなく支持し、かつ、イメージセンサからの十分な放熱を可能とする画像読取装置に関する。
【０００２】
【従来の技術】
スキャナ、ファクシミリ、複写機等では、一般に、プラテンガラス上に載置された紙等の原稿に対し、該プラテンガラスの下方において光源及び反射ミラー等を走査して、又はオート・ドキュメント・フィーダ（ＡＤＦ）により原稿を自動搬送しながら原稿に光を照射して、原稿からの反射光をＣＣＤ等のイメージセンサに結像して画像読取りを行っている。
【０００３】
図８は、従来のセンサユニットの一例を示す概略斜視図であるが、センサユニット９０は、反射光を電気信号に変換する光電変換素子（以下、「ＣＣＤイメージセンサ」という。）９１と読取基板９２とから構成されており、ＣＣＤイメージセンサ９１の端子が読取基板９２に挿通、半田付けされて電気的に接続され、且つ一体のものとなっている。このように構成されたＣＣＤイメージセンサ９１は、結像レンズ等を支持するスキャナフレームに、前記読取基板９２がネジ等により固定されて、反射光の光軸上に位置されている。
【０００４】
【発明が解決しようとする課題】
しかし、近年、画像読取りの高速化、高精度化が望まれており、画像処理速度を向上させるためにＣＣＤイメージセンサ９１のクロック周波数が高速化されていること等によって、ＣＣＤイメージセンサ９１の発熱量が増加している。ＣＣＤイメージセンサ９１の発熱は、暗電流によるＳ／Ｎ比の低下や、転送効率の低下によるＭＴＦの劣化等のＣＣＤの性能劣化の原因となる。また、読取基板９２には、一般にＰＣＢ基板が用いられるが、ＣＣＤイメージセンサ９１からの発熱により読取基板９２が熱変形し、その結果、ＣＣＤイメージセンサ９１の固定位置にズレが生じるという問題もある。
【０００５】
かかる問題を解決するために、筐体内に冷却ファンを設けてＣＣＤイメージセンサ９１を冷却する構成が考案されている（特許文献１参照）。しかし、冷却ファンにより筐体内に気流を生じさせると、該気流により舞い上がった塵埃が結像レンズやミラー等の光学部品に付着して、読取画質が劣化するという問題が生じる。また、冷却ファンのような部品を装備させると、装置の大型化やコスト高となる問題もある。
【０００６】
他方、読取基板９２の剛性を補強する保持部材をＣＣＤイメージセンサ９１と読取基板９２との間に介在させる構成も考案されている（特許文献２参照）。しかし、ＣＣＤイメージセンサ９１と読取基板９２との間のスペースは限られているため、前記保持部材はＣＣＤイメージセンサ９１及び読取基板９２と密着した状態となり、該保持部材に熱伝導性の高い部材を使用すると、却ってＣＣＤイメージセンサ９１の発熱が読取基板９２へ伝導し易くなり、読取基板９２は従来以上にＣＣＤイメージセンサ９１からの熱の影響を受けるおそれがある。
【０００７】
【特許文献１】
特開平８−１０２８２２号公報
【特許文献２】
特開２００２−１７１３８７号公報
【０００８】
本発明は、これらの点に鑑みてなされたものであり、熱の影響によるイメージセンサの位置ズレを簡易且つ安価な構成で防止し、また、イメージセンサの放熱効率を高めることにより、画像読取装置の読取画質を良好に維持できる画像読取装置を提供することを目的とする。
【０００９】
【課題を解決するための手段】
本発明に係る画像読取装置は、原稿からの反射光をイメージセンサに結像して画像読取りを行う画像読取装置において、裏面側に読取基板が固定されたイメージセンサと、前記反射光を通過させるための開口部とイメージセンサを嵌合させるための支持部とを有する耐熱性フレームとを具備してなり、該耐熱性フレームの支持部に前記イメージセンサの読取面側が嵌合されて、イメージセンサが光軸上に支持されたものである。このように、イメージセンサを耐熱性フレームで光軸上に支持することにより、イメージセンサの発熱による読取基板が変形したとしても、光軸上のイメージセンサの位置が変化することがない。また、イメージセンサの読取面側を耐熱性フレームに嵌合させることにより、イメージセンサの裏面が開放状態となり、イメージセンサの放熱効率が向上する。
【００１０】
また、本発明は、前記耐熱性フレームの支持部が、イメージセンサの幅方向、厚み方向、及び高さ方向の位置を夫々規制する少なくとも３方向の位置決め部と、各位置決め部にイメージセンサを夫々押圧して固定する付勢部材とを具備するものである。
【００１１】
また、本発明において、前記耐熱性フレーム及び付勢部材は、アルミニウム等の高熱伝導性のものとすることが好適である。これにより、イメージセンサの発熱を耐熱性フレーム及び付勢部材に吸収させ、該耐熱性フレーム及び付勢部材の表面等から放熱させることができ、イメージセンサの放熱効率が一層向上する。
【００１２】
また、本発明は、前記耐熱性フレームは、スキャナフレームに設けられた位置調整部材に固定されたものである。
【００１３】
【発明の実施の形態】
以下、本発明の実施の形態に係る画像読取装置を図面に基づき具体的に説明する。なお、本実施の形態に係る画像読取装置は本発明の一例にすぎず、本発明の構成が該画像読取装置に限定されるものでないことは当然である。
【００１４】
図１は、本発明の実施の形態に係る画像読取装置１００を具備するコピー・ファクシミリ複合機１の上部の外観を示す概略斜視図である。図に示すように、該コピー・ファクシミリ複合機１は、読み取るべき原稿を載置するプラテンガラス２が配設された読取載置台３と、該原稿をプラテンガラス２上に押圧して固定する原稿押さえカバー４と、原稿の読取り開始等を入力するための操作パネル５とを具備してなる。以下に詳述する画像読取装置１００は、読取載置台３の筐体内に配設されており、プラテンガラス２の下方から原稿の画像を読み取るようになっている。
【００１５】
なお、図には示していないが、前記コピー・ファクシミリ複合機１は、読み取った画像を記録するための記録用紙を供給する給紙部や、記録用紙に画像を記録する画像記録部、画像を電送するための送信部等をも備えているが、該コピー・ファクシミリ複合機１は、本発明に係る画像読取装置を具備する機器の一例であり、これら画像記録部等は任意の構成であることは勿論である。
【００１６】
図２は、前記読取載置台３及び原稿押さえカバー４の縦断面を示す図であるが、図に示すように、本画像読取装置１００は、プラテンガラス２上に載置された原稿を読み取るフラットベッドスキャナ（ＦＢＳ）として構成され、且つ原稿押えカバー４のＡＤＦ６により自動搬送される原稿も読み取るように構成されている。該ＡＤＦ６は、読み取るべき原稿の束が載置される給紙トレイ６１と、該原稿の束から最上紙を取り出して供給するピックアップローラ６２ａ、セパレートローラ６２ｂ、及びリタードローラ６２ｃと、供給された原稿を下方へ反転させながら排紙トレイ６３へ案内する搬送路６４と、搬送路６４に適宜配置されて原稿を搬送する搬送ローラ６５と、搬送路６４の最下流に配設された排紙トレイ６３とを具備してなる。このように構成されたＡＤＦ６により、給紙トレイ６１から搬送路６４へ順次繰り込まれた原稿は、プラテンガラス２の読取位置Ｐを通過し、該読取位置Ｐにおいて画像読取りがされた後、排紙トレイ６３へ排出されるようになっている。
【００１７】
プラテンガラス２の下方には、ＦＢＳ使用時にはプラテンガラス２の下方を水平方向へ移動しながらプラテンガラス２上の原稿をスキャンし、前記ＡＤＦ６使用時には読取位置Ｐへ移動して順次搬送される原稿をスキャンする画像読取ユニット１０１が設けられている。
【００１８】
図３は、前記画像読取ユニット１０１の主要構成を示した図であるが、図に示すように、前記プラテンガラス２の下方には、プラテンガラス２と平行方向に走査されるフルレートキャリッジ１０２及びハーフレートキャリッジ１０３が設けられている。該フルレートキャリッジ１０２は、キャリッジ本体２０に、原稿に光を照射するための光源２１と、原稿からの反射光Ｒ１を走査方向へ反射してハーフレートキャリッジ１０３へ導くための反射ミラー２２とを具備してなり、前記ハーフレートキャリッジ１０３は、キャリッジ本体３０に、フルレートキャリッジ１０２からの反射光Ｒ２をスキャナユニット１０４へ導く２枚の反射ミラー３１，３２を具備してなるものである。このように構成されたフルレートキャリッジ１０２及びハーフレートキャリッジ１０３が、図示しないガイドレールにより夫々摺動可能に担持されている。
【００１９】
さらに、前記フルレートキャリッジ１０２及びハーフレートキャリッジ１０３の両端部に沿って一対のベルト駆動機構１０４が設けられている。該ベルト駆動機構１０４は、図に示すように、駆動プーリ４０，４１と従動プーリ４２，４３間に夫々巻架されたベルト４４，４５が駆動軸４６の回転により周運動するように構成されたものであり、ベルト４４にフルレートキャリッジ１０２が、ベルト４５にハーフレートキャリッジ１０３が夫々固定されている。駆動プーリ４０，４１はいずれも駆動軸４６に固定されており、フルレートキャリッジ１０２及びハーフレートキャリッジ１０３の走査範囲は該駆動プーリ４０，４１のギア比により設定されている。即ち、駆動プーリ４０，４１に夫々巻架されたベルト４４，４５により走査されるフルレートキャリッジ１０２及びハーフレートキャリッジ１０３は、フルレートキャリッジ１０２の走査速度に対して略１／２の速度でハーフレートキャリッジ１０３が走査されるものとなり、図に示すように、走査距離Ｌ１だけフルレートキャリッジ１０２が走査される間に、ハーフレートキャリッジ１０３は、その約半分の走査距離Ｌ２だけ走査される。
【００２０】
このように構成されたフルレートキャリッジ１０２及びハーフレートキャリッジ１０３がプラテンガラス２の下方を原稿と平行に移動して原稿の画像をスキャンし、フルレートキャリッジ１０２の光源２１から原稿に光が照射され、該原稿からの反射光Ｒ１が反射ミラー２２により水平方向の反射光Ｒ２として反射され、さらに、ハーフレートキャリッジ１０３の反射ミラー３１により鉛直下方へ反射された後、反射ミラー３２により水平方向の反射光Ｒ３として反射されることにより、スキャナユニット１０５へ導かれるようになっている。
【００２１】
図４は、前記スキャナユニット１０５の詳細な構成を示す概略斜視図であるが、スキャナユニット１０５は所謂縮小光学系のＣＣＤ読取ユニットであり、図に示すように、前記ハーフレートキャリッジ１０３からの反射光Ｒ３を収束する結像レンズ５０と、その収束光を電気信号に変換するためのセンサユニット５１とを具備してなり、センサユニット５１がセンサフレーム（耐熱性フレーム）５２に嵌合固定され、該センサフレーム５２が、前記結像レンズ５０の光軸上にセンサユニット５１が位置するように調整するための調整フレーム５３を介して、スキャナフレーム５４に固定されている。このように構成されたスキャナユニット１０５により、前記反射光Ｒ３がセンサユニット５１により読み取られて、電気信号として出力されるようになっている。
【００２２】
図５及び図６は、前記センサユニット５１及びセンサフレーム５２の詳細な構成を示すものであるが、各図において前記反射光Ｒ３は図奥側から入射される。即ち、図５及び図６はセンサユニット５１及びセンサフレーム５２の裏面側の構成を示している。また、センサユニット５１はＣＣＤイメージセンサ５１０と読取基板５１１とが半田付けされてなるものであるが、図においては説明の便宜上、読取基板５１１を省略している。
【００２３】
センサフレーム５２は、ＣＣＤイメージセンサ５１０の発熱により変形しない耐熱性及び剛性を有するものであり、熱硬化性樹脂、例えばＰＰＥ（ポリフェニレンエーテル）や金属等を用いることができるが、ＣＣＤイメージセンサ５１０の放熱を高めるためには、アルミニウムのような金属製のものが好適である。該センサフレーム５２の略中央部には、反射光Ｒ３を通過させるための開口部５２０が穿設されている。該開口部５２０はＣＣＤイメージセンサ５１０の読取領域に対応させた大きさのものである。また、センサフレーム５２の裏面側には、前記開口部５２０に対応させて支持部５２１が凹設されている。該支持部５２１は、ＣＣＤイメージセンサ５１０を嵌合させるためのものであり、ＣＣＤイメージセンサ５１０の外形より大きい形状で、センサフレーム５２の裏面側から厚み方向へ凹欠されてなるものである。また、支持部５２１の凹欠深さは、少なくともＣＣＤ５２０の側面を支持可能な程度に該ＣＣＤ５２０の形状に合わせて適宜設定する。該支持部５２１にＣＣＤイメージセンサ５１０が読取面側から嵌合されることにより、図６に示すように、前記開口部５２０を通じて反射光Ｒ３を読取可能にＣＣＤイメージセンサ５１０がセンサフレーム５１に嵌合される。
【００２４】
また、前記センサフレーム５２の支持部５２１には、ＣＣＤイメージセンサ５１０の幅方向（ｘ軸）、厚み方向（ｙ軸）、及び高さ方向（ｚ軸）の位置を夫々規制する位置決め部５２２，５２３，５２４が形成されている。位置決め部５２２は、支持部５２１の、凹欠深さ方向、即ちｙｚ座標の面を有する側壁の一部から、対向する他方の側壁、即ちｘ軸方向へ突出するように形成されたものであり、ＣＣＤイメージセンサ５１０の側面と当接して、その幅方向の位置を規制する。位置決め部５２３は、支持部５２１の高さ方向、即ちｘｚ座標の面を有する側壁の四隅部から、センサフレーム５２の裏面、即ちｙ軸方向へ突出するように形成されたものであり、ＣＣＤイメージセンサ５１０の読取面と当接して、その厚み方向の位置を規制する。位置決め部５２４は、支持部５２１の底面、即ちｘｙ座標の面を有する側壁の一方から上方ヘ、即ちｚ軸方向へ突出するように形成されたものであり、ＣＣＤイメージセンサ５１０の底面と当接して、その高さ方向の位置を規制する。なお、ＣＣＤイメージセンサ５１０及び位置決め部５２４には、前記支持部５２１におけるＣＣＤイメージセンサ５１０の概略の位置を定めるために、ＣＣＤイメージセンサ５１０には係合凹部５１２が、位置決め部５２４には係合凸部５２５が形成されている。
【００２５】
さらに、前記センサフレーム５２には、各位置決め部５２２，５２３，５２４にＣＣＤイメージセンサ５１０を押圧して固定する板バネ（付勢部材）５５Ｒ，５５Ｌ，５６が設けられている。板バネ５５Ｒ，５５Ｌは、センサフレーム５２の支持部５２１の両側に配設されて、該支持部５２１に嵌合されたＣＣＤイメージセンサ５１０を裏面側から付勢して前記位置決め部５２３に密接させるものである。該板バネ５５Ｒ，５５Ｌは、センサフレーム５２の両側部の形状に合致するように適宜曲折されており、センサフレーム５２の両側部に固定するために、係止孔５５０及び長穴５５１が夫々穿設されている。一方、センサフレーム５２の両側面には係止凸部５２６が凸設され、両側部には厚み方向にネジ孔５２７が穿設されている。板バネ５５Ｒ，５５Ｌの各係止孔５５０をセンサフレーム５２の各係止凸部５２６に夫々係止させ、更に板バネ５５Ｒ，５５Ｌの各長穴５５１とセンサフレーム５２の各ネジ孔５２７とを夫々連通するネジ（不図示）で板バネ５５Ｒ，５５Ｌとセンサフレーム５２とが緊締されることにより、図６に示すように、板バネ５５Ｒ，５５Ｌがセンサフレーム５２に固定されるとともに、該板バネ５５Ｒ，５５Ｌが、支持部５２１に嵌合されたＣＣＤイメージセンサ５１０を裏面側から付勢して、ＣＣＤイメージセンサ５１０の読取面を前記位置決め部５２３に密接させる。
【００２６】
また、板バネ５６は、センサフレーム５２の支持部５２１の上方の隅部に配設されて、該支持部５２１に嵌合されたＣＣＤイメージセンサ５１０の上面及び側面を付勢して前記位置決め部５２２，５２４に密接させるものである。該板バネ５６は、帯状の板バネの一方の端部５６０がＣＣＤイメージセンサ５１０の上面を、他方の端部５６１がＣＣＤイメージセンサ５１０の側面を押圧できるように曲折されており、センサフレーム５２の上面に固定するために中央部に係止孔５６２が穿設されている。一方、センサフレーム５２の上面には係止凸部５２８が凸設され、ＣＣＤイメージセンサ５１０の上面の一部が露呈するように切欠部５２９ａが、ＣＣＤイメージセンサ５１０の側面の一部が露呈するように切欠部５２９ｂが夫々形成されている。図６に示すように、板バネ５６の係止孔５６２をセンサフレーム５２の係止凸部５２８に係止させることにより、その一方の端部５６０が切欠部５２９ａにより露呈されたＣＣＤイメージセンサ５１０の上面を下方へ付勢して、ＣＣＤイメージセンサ５１０の底面を前記位置決め部５２４へ密接させ、他方の端部５６１が切欠部５２９ｂにより露呈されたＣＣＤイメージセンサ５１０の側面を幅方向へ付勢して、対向する側面を前記位置決め部５２２へ密接させる。このようにして、板バネ５５Ｒ，５５Ｌ，５６により、センサフレーム５２の支持部５２１に嵌合されたＣＣＤイメージセンサ５１０が各位置決め部５２２，５２３，５２４に密接するように３方向へ付勢されて、センサフレーム５２の所定位置にＣＣＤイメージセンサ５１０が位置せしめられる。
【００２７】
これにより、ＣＣＤイメージセンサ５１０の読取面、側面、上面、及び底面は、各位置決め部５２２，５２３，５２４によってセンサフレーム５２の支持部５２１の内壁とは完全に密接せず、各位置決め部５２２，５２３，５２４の突出分だけ支持部５２１の内壁との間に間隙が生じた状態となる。また、センサフレーム５２にＣＣＤイメージセンサ５１０を読取面側から嵌合させることにより、ＣＣＤイメージセンサ５１０の裏面側は開放状態となる。このようにＣＣＤイメージセンサ５１０の周囲を開放することによって、ＣＣＤイメージセンサ５１０の放熱効率が向上される。さらに、センサフレーム５２及び板バネ５５Ｒ，５５Ｌ，５６に金属等の高熱伝導性部材を用いることにより、ＣＣＤイメージセンサ５１０の熱をセンサフレーム５２及び板バネ５５Ｒ，５５Ｌ，５６に吸収させ、これらの表面からも放熱させることができ、ＣＣＤイメージセンサ５１０の放熱効率が一層向上される。
【００２８】
センサフレーム５２に嵌合固定されたＣＣＤイメージセンサ５１０は、図４及び図７に示すように、該センサフレーム５２を、調整フレーム５３を介してスキャナフレーム５４に固定されることにより所定位置に取り付けられている。調整フレーム５３は、スキャナフレーム５４の後背部に取付け可能な枠状のものであり、前記板バネ５５Ｒ，５５Ｌの各長穴５５１とセンサフレーム５２の各ネジ孔５２７とを夫々連通するネジ５７により、板バネ５５Ｒ，５５Ｌがセンサフレーム５２に固定されるとともに、該センサフレーム５２が調整フレーム５３に固定されている。調整フレーム５３には、反射光Ｒ３の光軸方向に２つの長穴５３０が所定間隔で穿設されており、該長穴５３０に挿通されたネジ５８により、スキャナフレーム５４に緊締されて、その後背部に固定されている。このようにセンサフレーム５２を介してスキャナフレーム５４に固定されることにより、前記ＣＣＤイメージセンサ５１０が結像レンズ５０により収束される反射光Ｒ３の光軸上に位置せしめられている。従って、ＣＣＤイメージセンサ５１０の発熱により読取基板５１１が熱変形したとしても、ＣＣＤイメージセンサ５１０の光軸上の位置が変化せず、安定した画像読取りが実現される。また、読取画像に歪み等を生じさせないためには、ＣＣＤイメージセンサ５１０の読取面は、反射光Ｒ３の光軸と直交するように配置することが望ましいところ、機器設置時やメンテナンス時に前記調整フレーム５３を固定するネジ５８を弛めることにより、２つの長穴５３０の範囲内でＣＣＤイメージセンサ５１０の位置を最適に調整することが可能である。
【００２９】
なお、前記実施の形態では本画像読取装置１００が装備されたコピー・ファクシミリ複合機１を例に説明したが、本発明に係る画像読取装置が、スキャナ等の他の装置にも適用でき、また、本実施の形態で示した調整フレーム５３やスキャナフレーム５４の形状は一例であり、本発明の要旨を逸脱しない範囲内において変更可能であることは当然である。
【００３０】
【発明の効果】
このように、本発明に係る画像読取装置によれば、原稿からの反射光をイメージセンサに結像して画像読取りを行う画像読取装置において、裏面側に読取基板が固定されたイメージセンサと、前記反射光を通過させるための開口部とイメージセンサを嵌合させるための支持部とを有する耐熱性フレームとを具備してなり、該耐熱性フレームの支持部に前記イメージセンサの読取面側が嵌合されて、イメージセンサが光軸上に支持されたものとしたので、イメージセンサの発熱による読取基板が変形したとしても、光軸上のイメージセンサの位置が変化することがない。また、イメージセンサをの読取面側を耐熱性フレームに嵌合させることにより、イメージセンサの裏面が開放状態となり、イメージセンサの放熱効率が向上する。これらにより、画像読取装置の読取精度を良好に保つことができる。
【００３１】
また、本発明によれば、前記耐熱性フレームの支持部が、イメージセンサの幅方向、厚み方向、及び高さ方向の位置を夫々規制する少なくとも３方向の位置決め部と、各位置決め部にイメージセンサを夫々押圧して固定する付勢部材とを具備するものとしたので、耐熱性フレームの支持部の所定位置にイメージセンサを確実に位置せしめることができる。
【００３２】
また、本発明によれば、前記耐熱性フレーム及び付勢部材は、アルミニウム等の高熱伝導性のものとしたので、イメージセンサの放熱効率が一層向上し、画像読取装置の読取精度を良好に保つことができる。
【００３３】
また、本発明によれば、前記耐熱性フレームをスキャナフレームに設けられた位置調整部材に固定したので、光軸に対するイメージセンサの位置調整を簡便に行うことが可能である。
【図面の簡単な説明】
【図１】コピー・ファクシミリ複合機１の外観を示す概略斜視図である。
【図２】画像読取装置１００の構成を示す概略断面図である。
【図３】画像読取ユニット１０１の主要な構成を示す側面図である。
【図４】スキャナユニット１０５の構成を示す斜視図である。
【図５】センサユニット５１及びセンサフレーム５２の構成を示す分解斜視図である。
【図６】センサユニット５１及びセンサフレーム５２の構成を示す外観斜視図である。
【図７】スキャナユニット１０５の構成を示す平面図である。
【図８】従来のセンサユニット９０をの構成を示す概略斜視図である。
【符号の説明】
１００  画像読取装置
５１０  ＣＣＤイメージセンサ
５１１  読取基板
５２  センサフレーム（耐熱性フレーム）
５２０  開口部
５２１  支持部
５２２，５２３，５２４  位置決め部
５３  調整フレーム（位置調整部材）
５４  スキャナフレーム
５５Ｒ，５５Ｌ、５６  板バネ（付勢部材）
【図１】
2004187039.tif 000003
【図２】
2004187039.tif 000004
【図３】
2004187039.tif 000005
【図４】
2004187039.tif 000006
【図５】
2004187039.tif 000007
【図６】
2004187039.tif 000008
【図７】
2004187039.tif 000009
【図８】
2004187039.tif 000010
【手続補正書】
【提出日】平成16年3月11日(2004.3.11)
【手続補正１】
【補正対象書類名】明細書
【補正対象項目名】００２３
【補正方法】変更
【補正の内容】
【００２３】
センサフレーム５２は、ＣＣＤイメージセンサ５１０の発熱により変形しない耐熱性及び剛性を有するものであり、例えばＰＰＥ（ポリフェニレンエーテル）や金属等を用いることができるが、ＣＣＤイメージセンサ５１０の放熱を高めるためには、アルミニウムのような金属製のものが好適である。該センサフレーム５２の略中央部には、反射光Ｒ３を通過させるための開口部５２０が穿設されている。該開口部５２０はＣＣＤイメージセンサ５１０の読取領域に対応させた大きさのものである。また、センサフレーム５２の裏面側には、前記開口部５２０に対応させて支持部５２１が凹設されている。該支持部５２１は、ＣＣＤイメージセンサ５１０を嵌合させるためのものであり、ＣＣＤイメージセンサ５１０の外形より大きい形状で、センサフレーム５２の裏面側から厚み方向へ凹欠されてなるものである。また、支持部５２１の凹欠深さは、少なくともＣＣＤ５２０の側面を支持可能な程度に該ＣＣＤ５２０の形状に合わせて適宜設定する。該支持部５２１にＣＣＤイメージセンサ５１０が読取面側から嵌合されることにより、図６に示すように、前記開口部５２０を通じて反射光Ｒ３を読取可能にＣＣＤイメージセンサ５１０がセンサフレーム５１に嵌合される。